(57)【特許請求の範囲】
【請求項１】
ユーザーのコンタクトレンズの使用を支援するための仮想化装置であって、
内部に開口部を有する前方ミラーと、
前記前方ミラーに結合された支持部材と、を含み、
前記前方ミラーは前記支持部材を介して通信装置に取り付けることが可能であり、
前記前方ミラーの前記開口部は前記通信装置の光学センサと位置合わせされるように適合されており、
前記コンタクトレンズの装着と取り外しの間、前記ユーザーの画像を反射可能な位置にて前記通信装置に結合された側方ミラーを含む、仮想化装置。
【請求項２】
前記側方ミラーは前記支持部材に結合されており、前記支持部材は、前記ユーザーの画像を反射するように、前記側方ミラーを前記通信装置と並んで位置付けることができる、請求項１に記載の仮想化装置。
【請求項３】
前記側方ミラーは支持アームを介して前記支持部材に結合されている、請求項２に記載の仮想化装置。
【請求項４】
前記支持アーム及び前記側方ミラーの少なくとも一方が調整可能である、請求項３に記載の仮想化装置。
【請求項５】
前記通信装置上の第２の光学センサに隣接して前記通信装置に結合されるように適合された後方ミラーを更に含み、前記後方ミラーは、前記後方ミラーと前記第２の光学センサとの間の第１の反射経路と、前記後方ミラーと前記側方ミラーとの間の第２の反射経路と、を有するように適合されている、請求項１に記載の仮想化装置。
【請求項６】
前記支持部材は外側に延在して、前記後方ミラーを支持するように適合された部分を有し、前記後方ミラーは前記支持部材の前記部分に取り付けられている、請求項５に記載の仮想化装置。
【請求項７】
前記支持部材に結合された側方ミラー及び後方ミラーを更に含み、前記側方ミラー及び前記後方ミラーが互いに反射するように角度が付けられている、請求項１に記載の仮想化装置。
【請求項８】
後方光学センサを更に含み、前記側方ミラー及び前記後方ミラーは、前記後方光学センサと前記ユーザーとの間で反射により通信するように角度が付けられるように適合されている、請求項７に記載の仮想化装置。
【請求項９】
前記通信装置と前記前方及び側方ミラーとを、前記ユーザーの画像を前記コンタクトレンズの装着と取り外しの間、反射する位置に支持するように適合された支持スタンドを更に含み、前記前方ミラーは前記ユーザーの正面の眺めを反射するように適合され、前記側方ミラーは前記ユーザーの側面の眺めを反射するように適合される、請求項１に記載の仮想化装置。
【請求項１０】
ユーザーのコンタクトレンズの使用を支援するためのシステムであって、
少なくとも出力装置、プロセッサ、及び光学センサを含む通信装置と、
内部に開口部を有する前方ミラーと前記前方ミラーの背面から外側に延在する後方部材と前記コンタクトレンズの装着と取り外しの間、前記ユーザーの画像を反射可能な位置にて前記通信装置に結合された側方ミラーと、を含む仮想化装置と、
前記通信装置を受け取って実質的に直立して保持するように構成されたスタンドと、を含み、
前記前方ミラーの前記開口部は、前記通信装置の前記光学センサと位置合わせされるように適合され、前記後方部材を介して前記通信装置に結合されるように適合され、
前記通信装置の前記プロセッサは、前記通信装置の前記出力装置を通して、前記ユーザーに前記コンタクトレンズの使用法について指示を出すように構成されている、システム。
【請求項１１】
前記プロセッサは、遠隔に配置された通信装置と通信するように構成され、前記プロセッサは、少なくとも前記遠隔の通信装置からの入力に基づいて、前記ユーザーに前記コンタクトレンズの使用法について指示を出すように構成されている、請求項１０に記載のシステム。
【請求項１２】
前記後方部材から延在する取り付け部材と、前記取り付け部材の第１の部分に取り付けられた第１の端部と前記側方ミラーに取り付けられた第２の端部とを有する細長い部材と、を更に含み、前記細長い部材の前記第２の端部は前記通信装置を越えて外側に突出する、請求項１０に記載のシステム。
【請求項１３】
前記取り付け部材の第２の部分に取り付けられた後方ミラーを更に含む、請求項１２に記載のシステム。
【請求項１４】
前記側方ミラー及び前記後方ミラーは互いに反射するように適合されている、請求項１３に記載のシステム。
【請求項１５】
前記後方部材の外側に固定された細長い部材と、第１の端部及び対向する第２の端部を有し、前記通信装置を越えて延在する取り付け部材と、を含み、
前記第１の端部が前記細長い部材の底部に固定されており、前記側方ミラーが前記取り付け部材の前記第２の端部に取り付けられる、請求項１０に記載のシステム。
【請求項１６】
前記後方部材は少なくとも第１のアーム及び対向する第２のアームを含み、前記第１のアーム及び前記対向する第２のアームは前記後方部材の底部から延在し、それぞれ前記通信装置の対応する対向する側にクリップで留まっている、請求項１０に記載のシステム。
【請求項１７】
前記通信装置の前記プロセッサは、視覚的合図、音響合図、及び教育ビデオの少なくとも１つを通して指示を出すように構成されている、請求項１０に記載のシステム。
【請求項１８】
前記通信装置に指示を送信する第２の通信装置を更に含む、請求項１０に記載のシステム。
【請求項１９】
コンタクトレンズ装用者のコンタクトレンズの使用を支援するためのシステムであって、
出力装置、プロセッサ、及び光学センサを含むユーザー通信装置と、
前記ユーザー通信装置に結合された仮想化装置であって、開口部を含む前方ミラーと、前記コンタクトレンズの装着と取り外しの間、ユーザーの画像を反射可能な位置にて前記ユーザー通信装置に結合された側方ミラーと、を含み、前記前方ミラーは前記ユーザー通信装置に結合されて前記前方ミラーの開口部は前記光学センサとの位置合わせに適合され、それによって、前記前方ミラー及び前記光学センサは前記コンタクトレンズの装着者の方向に向けられ、前記前方ミラー上の画像は前記光学センサによって検知された画像と実質的に同じ画像である、仮想化装置と、を含み、
前記プロセッサは遠隔の通信装置と通信するように構成され、前記プロセッサは前記遠隔の通信装置に前記画像を通信するように構成され、前記遠隔の通信装置からコンタクトレンズの使用に関する指示を受け取るように構成されている、システム。
【請求項２０】
前記ユーザー通信装置が、第２のセンサを有し、前記側方ミラーを更に含み、前記側方ミラーは前記第２のセンサと反射により通信するように適合されている、請求項１９に記載のシステム。
【請求項２１】
前記プロセッサは前記第２のセンサから前記遠隔の通信装置に情報を通信するように構成されている、請求項２０に記載のシステム。
【請求項２２】
前記側方ミラー及び前記第２のセンサと反射による通信をするように適合されたバックミラーを更に含む、請求項２０に記載のシステム。
【請求項２３】
前記出力装置は表示装置であり、前記光学センサにより検知された画像は前記表示装置上に表示される、請求項１９に記載のシステム。
【請求項２４】
前記光学センサにより検知された画像はビデオ画像である、請求項１９に記載のシステム。
【請求項２５】
前記プロセッサは前記遠隔の通信装置に前記光学センサにより検知された画像を送信するように構成されている、請求項１９に記載のシステム。
【請求項２６】
ユーザーのコンタクトレンズの使用をモニタするためのシステムであって、
少なくとも出力装置、プロセッサ、及び光学センサを含む通信装置と、
内部に開口部を有する前方ミラーと前記前方ミラーの背面から外側に延在する後方部材と前記コンタクトレンズの装着と取り外しの間、前記ユーザーの画像を反射可能な位置にて前記通信装置に結合された側方ミラーと、を含む仮想化装置と、
前記通信装置を受け取って実質的に直立して保持するように構成されたスタンドと、を含み、
前記前方ミラーの前記開口部は、前記通信装置の前記光学センサと位置合わせされるように適合され、前記後方部材を介して前記通信装置に結合されるように適合され、
前記通信装置の前記プロセッサは、前記ユーザーのコンタクトレンズの使用についての情報を記録して前記通信装置の前記出力装置を通して送信するように構成されている、システム。
【請求項２７】
前記プロセッサは、遠隔に配置された通信装置と通信するように構成されている、請求項２６に記載のシステム。
【発明の詳細な説明】
【技術分野】
【０００１】
本発明は、コンタクトレンズユーザーを遠隔にトレーニング及び／又はサポートするためのシステム及び方法に関する。より具体的には、本発明は、コンタクトレンズユーザーを遠隔にトレーニング及び／又はサポートするトレーナー及び他の個人によってコンタクトレンズユーザーに提供されるコンタクトレンズトレーニング及び／又はサポートに対する仮想ミラーシステム及び方法を対象にしている。
【背景技術】
【０００２】
近年、コンタクトレンズの使用は、レンズ技術の向上並びにそれらを美観用に用いることの実現性に起因して、ますます一般的になっている。更に、コンタクトレンズのコストが低下し、またオンライン、電話、及びメールオーダー小売業者から入手できるために、平均ユーザーにとってより利用しやすいものとなっている。その結果、製造業者はますます、膨大な数の新しいユーザーにコンタクトレンズの適切な装着及び取り外し方法を教えるという課題に直面する。更に、正しい取り付け及び取り外し手順、並びに装用頻度及び装用時間をモニタリングすると、遵守の評価並びに製品デザイン及び規制認可に対するデータ収集に対する更なる課題が示される。
【０００３】
コンタクトレンズを装着するプロセスには典型的に、ユーザーがレンズを片手の指の上に置いて、レンズを眼の表面上に物理的にあてがうことが含まれる。例えば、コンタクトレンズは典型的に、片手の人差し指に置かれたそのパッケージングから取り出されて、眼の表面上に置かれる。コンタクトレンズの湿っている性質によって、レンズがユーザーの指に付着する傾向があり、コンタクトレンズを水平方向の支持位置から実質的に垂直位置へと操作して、あてがうことができる。
【０００４】
その後、眼からコンタクトレンズを取り外すために、ユーザーは典型的に、２本の対向する指の間でコンタクトレンズをつまむか又は曲げて、コンタクトレンズをユーザーの眼に接着させる表面張力及び吸引を壊す。いったんコンタクトレンズがつままれるか又は曲げられれば、ユーザーは指によって眼からレンズを剥がす。
【０００５】
これらの手順によって明らかなように、コンタクトレンズの装着及び取り外しには、眼に対するユーザーによる慎重で正確な動作及び空間的関係の感覚が必要である。更に、ある程度の器用さをある期間に渡って習得する必要がある。ユーザーによる動作がわずかでも不正確だと、激しい不快感が生じる可能性がある。そのため、コンタクトレンズの新しいユーザーは、レンズを正確に装着して取り外すことで大変な困難を経験することが多い。
【発明の概要】
【発明が解決しようとする課題】
【０００６】
新しいユーザーにコンタクトレンズの装着及び取り外し方法を教えるためのプロセスを製造業者が開発することはめったになかった。新しいユーザーに個人的な指示を与えることを試みるためには、製造業者は膨大な数のトレーナーを世界中に配置する必要があるであろう。そのようなことのコストは法外に高いであろう。したがって、コンタクトレンズの新しいユーザーにコンタクトレンズを装着及び取り外すための適切な技術をトレーニングするための、地理的に分散した母集団に経済的に見合う方法で達することができるシステム及び方法が求められている。同様に、正しい装着及び取り外し手順の使用、並びに製品デザイン、開発、及び規制承認業務をサポートするための研究に関係しているユーザーに対する装用頻度及び装用時間をモニタリングするためのシステム及び方法が求められている。本発明によってこのようなシステム及び方法が提供される。
【課題を解決するための手段】
【０００７】
本発明の一態様では、ユーザーのコンタクトレンズの使用を支援するための仮想化装置として、開口部を有する前方ミラーを含むものが提供される。支持部材が前方ミラーに結合されている。前方ミラーは支持部材を介して通信装置に取り付けることができる。前方ミラーの開口部は通信装置の光学センサと位置合わせされるように適合されている。
【０００８】
仮想化装置はまた、支持部材に結合された側方ミラーであって、通信装置を越えて及び通信装置と並んで位置させることに適合された側方ミラーを含んでいてもよい。側方ミラーは支持アームを介して支持部材に結合されている。仮想化装置の支持アーム及び側方ミラーの少なくとも一方は調整可能である。
【０００９】
仮想化装置はまた、通信装置上の第２の光学センサに隣接して通信装置に結合されるように適合された後方ミラーを含んでいてもよい。後方ミラーは、後方ミラーと第２の光学センサとの間の第１の反射経路と、後方ミラーと側方ミラーとの間の第２の反射経路と、を有するように適合されている。支持部材は外側に延在して、後方ミラーを支持するように適合された部分を有し、後方ミラーは支持部材の当該部分に取り付けられている。
【００１０】
仮想化装置はまた、支持部材に結合された側方ミラーと後方ミラーとの両方を含んでいてもよい。側方ミラー及び後方ミラーは互いに反射するように角度が付けられている。仮想化装置は後方光学センサを含んでいてもよい。側方ミラー及び後方ミラーは、後方光学センサと対象物との間で反射により通信するように角度が付けられるように適合されている。
【００１１】
仮想化装置はまた、通信装置と前方及び側方ミラーとを、対象物に反射する位置に支持するように適合された支持スタンドを含んでいてもよい。前方ミラーは対象物の正面の眺めを反射するように適合され、側方ミラーは対象物の側面の眺めを反射するように適合されている。対象物には、使用中のコンタクトレンズと、コンタクトレンズの使用をサポートする装着装置と、が含まれる。コンタクトレンズの使用にはコンタクトレンズの装着及び取り外しが含まれる。
【００１２】
本発明の別の態様では、ユーザーのコンタクトレンズの使用を支援するためのシステムであって、内部に開口部を有する前方ミラーと前方ミラーの背面から外側に延在する後方部材とを含む仮想化装置を含むシステムが提供される。通信装置として、少なくとも出力装置、プロセッサ、及び光学センサを含むものが提供される。スタンドが通信装置を受け取ってそれを実質的に直立に保持するように構成されている。前方ミラーの開口部は、通信装置の光学センサと位置合わせされるように適合され、後方部材を介して通信装置に結合されるように適合されている。通信装置のプロセッサは、通信装置の出力装置を通して、ユーザーにコンタクトレンズの使用法について指示を出すように構成されている。プロセッサは、遠隔に配置された通信装置と通信するように構成され、少なくとも遠隔の通信装置からの入力に基づいて、ユーザーにコンタクトレンズの使用法について指示を出すように構成されている。
【００１３】
システムは、後方部材から延在する取り付け部材と、取り付け部材の第１の部分に取り付けられた第１の端部と側方ミラーに取り付けられた第２の端部とを有する細長い部材と、を更に含んでいてもよい。細長い部材の第２の端部は通信装置を越えて外側に突出している。システムは、取り付け部材の第２の部分に取り付けられた後方ミラーを更に含んでいてもよい。側方ミラー及び後方ミラーは互いに反射するように適合されている。
【００１４】
システムはまた、後方部材の外側に固定された細長い取り付け部材を含んでいてもよい。取り付け部材は第１の端部及び対向する第２の端部を有している。第１の端部は細長い部材の底部に固定されている。側方ミラーは取り付け部材の第２の端部に取り付けられ、通信装置を越えて延在している。後方部材は少なくとも第１のアーム及び対向する第２のアームを含んでいる。第１のアーム及び対向する第２のアームは後方部材の底部から延在し、それぞれ通信装置の対応する前側及び第２の側にクリップで留まっている。通信装置のプロセッサは、視覚的合図、音響合図、及び教育ビデオの少なくとも１つを通して指示を出すように構成されている。システムはまた、通信装置に指示を送信する第２の通信装置を含んでいる。
【００１５】
本発明の別の態様では、コンタクトレンズ装用者のコンタクトレンズの使用を支援するためのシステムであって、出力装置、プロセッサ、及び光学センサを含むユーザー通信装置と、ユーザー通信装置に結合された仮想化装置と、を含む、システムが提供される。仮想化装置は、開口部を有する前方ミラーを有している。前方ミラーはユーザー通信装置に結合されて前方ミラー開口部は光学センサとの位置合わせに適合され、それによって、前方ミラー及び光学センサはコンタクトレンズユーザーの方向に向けられ、前方ミラー上の画像は光学センサによって検知されたものと実質的に同じ画像である。プロセッサは、遠隔の通信装置と通信し、遠隔の通信装置に画像を通信し、遠隔の通信装置からコンタクトレンズの使用に関する指示を受け取るように構成されている。システムはまた、第２のセンサを有するユーザー通信装置に結合されるように適合された側方ミラーを有し、側方ミラーは第２のセンサと反射により通信するように適合されていてもよい。プロセッサは、第２のセンサから遠隔の個人の通信装置に情報を通信するように構成されている。システムは、側方ミラー及び第２のセンサと反射による通信をするように適合されたバックミラーを更に含んでいてもよい。出力装置は表示装置であり、画像は表示装置上に表示される。システムの画像はビデオ画像である。プロセッサは遠隔の通信装置に画像を送信するように構成されている。
【００１６】
本発明の別の態様では、コンタクトレンズ装用者の装着手順、取り外し手順、装用頻度及び／又は装用時間をモニタリングするためのシステムであって、出力装置、プロセッサ、及び光学センサを含むユーザー通信装置と、ユーザー通信装置に結合された仮想化装置と、を含む、システムが提供される。仮想化装置は、開口部を有する前方ミラーを有している。前方ミラーはユーザー通信装置に結合されて前方ミラー開口部は光学センサとの位置合わせに適合され、それによって、前方ミラー及び光学センサはコンタクトレンズユーザーの方向に向けられ、前方ミラー上の画像は光学センサによって検知されたものと実質的に同じ画像である。プロセッサは、遠隔の通信装置と通信し、ユーザーのコンタクトレンズの装着、装用、及び／又は取り外しに関する画像及び／又は情報を遠隔の通信装置に通信するように構成されている。
【００１７】
本発明の更なる特徴、優位点、及び実施形態は、以下の詳細な説明、図面、及び請求項を検討することから説明するか又は明らかである。また、当然のことながら、前述の発明の概要及び以下の詳細な説明は両方とも典型的であり、本発明の範囲を請求どおりに限定することなく更なる説明を与えることが意図されている。
【図面の簡単な説明】
【００１８】
本発明の特徴及び優位点は以下の図面から明らかになる。なお同様の参照番号は概ね、同一、機能的に同様、及び／又は構造的に同様の要素を示す。
【図１】本発明の原理による仮想ミラーシステムの実施形態を示す。
【図２Ａ】本発明の原理による仮想ミラーシステムの別の実施形態を示す。
【図２Ｂ】本発明の原理により、図２Ａに示す仮想ミラーシステムの一部を別の方向から見た斜視図を示す。
【図２Ｃ】図２Ａに示すタイプの仮想化装置をコンピューティングデバイスから取り外して別の方向から見た斜視図を示す。
【図２Ｄ】図２Ａに示すシステムの平面図を示す。
【図３Ａ】本発明の原理による仮想ミラーシステムの別の実施形態を示す。
【図３Ｂ】図３Ａに示すシステムの平面図を示す。
【図３Ｃ】図３Ａに示すシステムの別の斜視図を示す。
【図３Ｄ】図３Ａに示すシステムの別の斜視図を示す。
【図４】本発明の原理によるシステムを用いるコンタクトレンズユーザーを示す。
【図５】ユーザーから遠隔に配置された別の個人を示し、遠隔に配置された個人は図４に示すシステムと通信状態にある通信装置を有していることを示す。
【図６】本発明の原理により、図３Ａに示すシステムを用いる様々なコンタクトレンズユーザーと、ユーザーから遠隔に配置された通信装置を伴う個人及び／又はトレーナーとが用いるネットワーク及びシステム構成要素であって、ユーザーと遠隔に配置された個人及び／又はトレーナーとは双方向通信する能力を有するネットワーク及びシステム構成要素を示す。
【図７】本発明の原理により用いることができる典型的なプロセッサの概略図である。
【発明を実施するための形態】
【００１９】
本発明の原理によるシステム及び方法は、コンタクトレンズユーザーを個別化及び個人化された方法で仮想トレーニング及び／又はモニタリングするために実施することができる。トレーナーがユーザーから遠隔に配置された状態で、本システム及び方法を用いることで、本発明の原理による仮想ミラーシステムを通してユーザーにアクセスしユーザーを観察することができる。本システム及び方法は、本明細書で説明するようなコンタクトレンズトレーニング状況で実施することができるが、コンタクトレンズユーザー・トレーナー状況には限定されない。トレーナー以外に、本発明の原理によりコンタクトレンズユーザーと遠隔にやり取りする任意のタイプの個人を想到することができる。例えば、コンタクトレンズ教育、遵守、及びフォローアップに関係する個人などである。
【００２０】
コンタクトレンズユーザーに対する空間及び多次元アクセスとコンタクトレンズユーザーの観察とが、仮想ミラーシステムの使用を通して提供される。仮想ミラーシステムは、コンピューティングデバイス上の光学センサと協同するパーソナルコンピューティングデバイス上に配列されたミラーを含んでいる。ミラーをコンピューティングデバイス上に及び光学センサに対して配列及び搭載することによって、遠隔にいるトレーナー及びコンタクトレンズユーザーは、直接会っているようなコンタクトレンズトレーニング経験をする。更に、このような装置及びシステムによって、ユーザーのレンズの装着、装用、及び取り外しに関する情報を得ることができる。例えば、装着の日付及び時間、装用時間、装用頻度、装着及び取り外し手順のビデオ画像、並びに装着及び取り外し時のユーザーの眼の画像である。
【００２１】
次に図を参照して、本仮想ミラーシステム及び方法の種々の代表的な実施態様について説明する。図１を参照して、参照番号１００で概略的に示すシステムは、コンタクトレンズユーザーが用いるために提供することができる。図示するように、システム１００は概ね、スタンド１０７を伴う通信装置１０６と、１０１で概略的に示す仮想化装置と、を含んでいる。
【００２２】
通信装置１０６は、プロセッサを伴う装置と、出力又は表示装置１０８と、を含むことができる。出力又は表示装置１０８は、出力を表示する（例えば、ビデオを含む画像を表示する）働きをする。図示するように、通信装置１０６は、本発明の原理により画像情報を処理するように構成された従来のタブレット型コンピュータを変更したものとすることができる。図示するように、表示装置１０８は、コンタクトレンズユーザーの記録ビデオを表示することができる。「再生」を表す図によって示される停止位置で示されており、タッチによって起動することができる。ビデオは、装着／取り外しプロセスの間のコンタクトレンズユーザーの記録を示すことができる。コンタクトレンズユーザーは、実生活で前方ミラー１０２の前でレンズを装着する間に、自分自身又はトレーニングビデオを見ることができる。表示装置１０８は他のコンテンツも表示することができる。ビデオ会議を表示装置１０８上に表示して（これについては、例えば図４及び５を参照して後で説明する）、トレーナーによる遠隔トレーニングを提供することができる。スタンド１０７を設けて、通信装置１０６を支持し、コンタクトレンズユーザーに関係する真っすぐ立った人間工学的位置に位置させることができる。
【００２３】
仮想化装置１０１が通信装置１０６に結合されている。仮想化装置１０１は、コンタクトレンズユーザーに面するように位置させることができる前方ミラー１０２を含むことができる。図示するように、前方ミラー１０２は、通信装置１０６上の光学センサ１０５と位置を合わせることができる開口部１０４を含むことができる。光学センサ１０５はタブレット型コンピュータ上の従来のカメラとすることができる。前方ミラー１０２はコンタクトレンズユーザーの反射像を示す。光学センサ１０５は、前方ミラー１０２に示されるものと同様の画像を見て検知している。光学センサ１０５によって検知された情報を、遠隔地（例えばトレーナー又は順守モニター）に通信することができる。これについては、例えば図４及び５を参照して後で説明する。光学センサ１０５によって検知された情報は、前方ミラー１０２をのぞき込んでコンタクトレンズを装着しているコンタクトレンズユーザーである可能性がある。したがって、遠隔のトレーナー又は順守モニタは、ユーザーがコンタクトレンズを装着する様子を見ることができ、ユーザーが見ているのと同じものを見ることができる。
【００２４】
仮想化装置１０１はまた、側方ミラー１０３及び関連する構成部品、例えば別の光学センサ（図示しないが、他の実施形態で図示及び説明する）を含んで、画像を反射し、記録し、及びコンタクトレンズユーザーと遠隔のトレーナー又は順守モニタとの間で通信することができる。
【００２５】
次に図２Ａ〜２Ｄを参照して、本発明の原理による別のシステムの代表的な実施形態を概略的に示す。図２Ａを参照して、システム２００は概ね、通信装置２０６と通信装置２０６に結合された仮想化装置２０１とを含むことができる。仮想化装置２０１は、例えば、前方ミラー２０２及び／又は側方ミラー２０３とともに、本明細書で説明及び図示する関連する構成部品及び特徴を含んでいてもよい。ユーザーを、システム２００の前方に面し、前方ミラー２０２及び（直接又は間接的に）側方ミラー２０３をのぞき込むように位置させることができる。前方ミラー２０２内の開口部２０４によって、通信装置２０６の光学センサ２０５はコンタクトレンズユーザーを見て、表示、記録、及び／又は送信をリアルタイムで遠隔のトレーナー又は順守モニタに対して行なうことができる。側方ミラー２０３は、その方位に応じて、ユーザーの画像を反射してユーザーの方に戻すことができ、また通信装置２０６の背面にある第２の光学センサ２１８（図２Ｂ）に送って、表示、記録、及び／又は送信をリアルタイムで遠隔のトレーナー又は順守モニタに対して行なうことができる。第２の光学センサ２１８への反射による送信は、後方ミラー２１４（図２Ｂ、２Ｃ、及び２Ｄ）をより行なうことができる。
【００２６】
前方ミラー２０２及び側方ミラー２０３は、本発明の原理により任意の好都合な形状及びサイズとすることができ、好ましくは、ユーザーの眼を見るための形状及びサイズ、並びに／又はコンタクトレンズの使用及び装着に付随する動き及び動作を見るためのユーザーの十分な観察とすることができる。後方ミラー２１４は、側方ミラー２０３を第２の光学センサ２１８に反射により結合するというその目的に従って、種々の形状及びサイズを有することができる。ミラー２０２、２０３、及び２１４はそれぞれ、任意の組み合わせで、円形、正方形、矩形、三角形、台形、及び五角形が挙げられるが、これらに限定されない形状を有することもできる。例えば、図２Ａに例示するように、前方及び側方ミラー２０２及び２０３はそれぞれ丸い又は円形の形状を有すると示されており、後方ミラー２１４（図２Ｂ）は正方形状を有すると示されている。
【００２７】
前方ミラー２０２は内部に開口部２０４を有することができる。開口部２０４は通信装置２０６の光学センサ２０５と位置が合っている。開口部２０４のサイズはそれに応じて設定することができる。前方ミラー２０２を装置２０６上に搭載することができる。図示するように、前方ミラー２０２を装置２０６上に後方部材２２５（ブラケット又はクリップとすることができる）を介して搭載することができる。前方ミラー２０２を後方部材２２５に固定することができる。後方部材２２５を、通信装置２０６に取り外し可能に取り付けて、開口部２０４が通信装置２０６の光学センサ２０５と位置が合うようにすることができる。前方ミラー２０２及びそこに取り付けられた後方部材２２５は、種々のサイズ及び長さを有することができ、通信装置２０６の幅よりも大きいか又は小さい部分を包含することができる。
【００２８】
側方ミラー２０３は、コンタクトレンズユーザーと第２の光学センサ２１８との間で反射により通信することができる。これについては次に、取り付けシステムに関して説明する。側方ミラー２０３及び後方ミラー２１４を取り付けるために、支持部材２０７を後方部材２２５から延在させることができる。支持部材２０７は、後方部材２２５の底部、頂部、又は側面部分から延在することができる。支持部材２０７は、第１の部分２０８、第２の部分２０９、及び第３の部分２１０を含むことができる。第１の部分２０８は通信装置２０６と平行に及びこれに沿って延在することができ、第２の部分２０９は通信装置２０６とある角度をなして（例えば垂直に）そこから離れるように延在することができる。代替的に、第１の部分２０８は通信装置２０６と垂直に及びそこから離れるように延在することができ、第２の部分２０９は通信装置２０６と平行に及びこれに沿って延びることができる。第３の部分２１０は第２の部分２０９からある角度で延在することができる。第３の部分２１０を、後方ミラー２１４と第２の光学センサ２１８との間の反射を可能にするように角度を付けることができる。第３の部分２１０を、後方ミラー２１４と側方ミラー２０３との間の反射を可能にするように角度を付けることができる。第３の部分２１０を、後方ミラー２１４と側方ミラー２０３及び第２の光学センサ２１８両方との間で同時に反射できるように角度を付けて、側方ミラー２０３及び後方ミラー２１４を経由してコンタクトレンズユーザーと第２の光学センサ２１８との間で一連の反射ができるようにすることができる。側方ミラー２０３を、本発明の原理により前方ミラー２０２に反射するように構成することもできる。
【００２９】
支持部材２０７の第１の部分２０８に関して、側方ミラー２０３をそこに間接的に取り付けることができる。側方ミラー２０３を支持部材２０７の第１の部分２０８に、取り付け部材２１１によって取り付けることができる。取り付け部材２１１は、第１の端部及び第２の対向する端部を有している。取り付け部材２１１の第１の端部を、支持部材２０７の第１の部分２０８の側面に取り付けることができる。図２Ｃに示すように、取り付け部材２１１の第２の対向する端部を側方ミラー２０３の背面２１２に取り付けることができる。取り付け部材２１１の第１の端部及び第２の対向する端部のどちらも、それらの対応する部材に直接搭載することもできるし、又は結合部材２１３を介して取り付けることもできる。結合部材２１３は、吸引装置、接着装置、又は磁石のうちの少なくとも１つとすることができる。
【００３０】
支持部材２０７の第２の部分２０９に関して、図２Ｂにより明瞭に例示するように、後方ミラー２１４をそこに搭載することもできるし又は接続することもできる。特定の実施形態では、後方ミラー２１４を支持部材２０７の第２の部分２０９に直接搭載することができる。代替的な実施形態では、後方ミラー２１４を、支持部材２０７の第２の部分２０９に第２の取り付け部材（図示せず）によって接続することができる。第２の取り付け部材は第１の端部及び対向する第２の端部を有することができる。第２の取り付け部材の第１の端部を支持部材２０７の第２の部分２０９に取り付けることができる。第２の取り付け部材の第２の対向する端部を後方ミラー２１４の背面に取り付けることができる。第２の取り付け部材の第１の端部及び第２の対向する端部のどちらも、それらの対応する部材に直接搭載することもできるし、又は第２の結合部材（図示せず）によって取り付けることもできる。第２の結合部材は、吸引装置、接着装置、又は磁石のうちの少なくとも１つとすることができる。
【００３１】
前方ミラー２０２に関して、通信装置２０６の一部の上にそれを配置することによって、ユーザーがコンタクトレンズに対する自分達の眼の正面の眺めを見ることができる。側方ミラー２０３の配置に関して、その配置によってユーザーはコンタクトレンズに対する眼の側面の眺めを見ることができる。代替的に及び／又はそれに加えて、側方ミラー２０３の配置を、前方ミラー２０２及び／又はユーザーに反射するように位置合わせすることができる。
【００３２】
後方ミラー２１４に対する側方ミラー２０３の配置に関して、それぞれ又はそれらの任意の組み合わせを固定することも又は調整可能とすることもできる。例えば、特定の実施形態では、側方ミラー２０３を、後方ミラー２１４（固定位置とすることができる）に対して調整するように適合させることができる。代替的な実施形態では、側方ミラー２０３を固定位置にして、後方ミラー２１４（調整可能とすることができる）に対して調整するように適合させることができる。更なる代替的な実施形態では、側方ミラー２０３及び後方ミラー２１４を互いに対して調整するように適合させることができる。
【００３３】
後方ミラー２１４の配置に関して、その配置を第２の光学センサ２１８に対して位置付けることができる。例えば、後方ミラー２１４を、第２の光学センサ２１８からある距離離すこともできるし、第２の光学センサ２１８の前に直接置くこともできる。更に、後方ミラー２１４を側方ミラー２０３に反射するように角度を付けることができる。
【００３４】
ユーザーに対する倍率に関して、ミラー２０２、２０３、及び２１４は同じか又は異なる倍率をユーザーに示すことができる。例えば、ミラー２０２、２０３、及び２１４はすべて、１ｘ倍率を有することができる。代替的に、例えば、前方ミラー２０２は１ｘの倍率を有し、側方及び後方ミラーは１０ｘの倍率を有することができる。更に、ミラー２０２、２０３、及び２１４の任意の組み合わせを本発明の原理により平坦又は湾曲状とすることができる。
【００３５】
図２Ｄに示すのは、側方ミラー２０３及び後方ミラー２１４の相対的な代表的な角度を示すシステム２００の平面図である。
【００３６】
別の実施形態によれば、ユーザーがコンタクトレンズを装着するときに支援するためのシステム。システムは、通信装置を実質的に直立に保持するスタンドを更に含むことができる。例えば、図２Ａの代表的な実施形態を参照して、スタンド２１５はホルダ２１７を含むことができる。ホルダ２１７は基部から上向きに延在することができる。通信装置２０６をホルダ２１７内に位置させて、スタンド２１５が通信装置２０６を受け取って実質的に直立に保持できるようにすることができる。
【００３７】
次に図３Ａを参照して、仮想化装置を伴うシステム３００の代替的な代表的な実施形態を３０１に概略的に示す。仮想化装置３０１は、前方ミラー３０２、側方ミラー３０３、及び後方ミラー３１４（図３Ｂ及び３Ｄ）を含んでいる。前方ミラー３０２は内部に開口部３０４を有している。開口部３０４は通信装置３０６の光学センサ３０５と位置合わせされている。
【００３８】
仮想化装置３０１に関して、図３Ｄにより明瞭に例示するように、前方ミラー３０２の背面３１２には後方部材３２５が搭載されている。後方部材３２５は前方ミラー３０２の背面３１２から外側に延在することができる。前方ミラー３０２は、後方部材３２５を介して、光学センサ３０５を有する通信装置３０６の部分に取り外し可能に取り付けられている。後方部材３２５を有する前方ミラー３０２を、光学センサ３０５を有する通信装置３０６の部分に取り付けると、前方ミラー３０２の開口部３０４は通信装置３０６の光学センサ３０５と位置合わせされる。前方ミラー３０２及びそこに取り外し可能に取り付けられた後方部材３２５は、光学センサ３０５を有する通信装置３０６の幅以下である部分を包含することができる。
【００３９】
後方部材３２５は更に、後方部材３２５の一部から延在する少なくとも第１のアーム３０７を含むことができる。当該一部は後方部材３２５の底部、中央部、又は頂部とすることができる。第１のアーム３０７は、通信装置３０６の受け取りを助ける第１の把持部材３０９を含むことができる。第１の把持部材３０９（図３Ｃ）は、捕握装置、磁気装置、クリッピング装置、吸引装置、又は握り装置のうちの少なくとも１つを含むことができる。
【００４０】
代替的な実施形態では、後方部材３２５は少なくとも第１及び第２のアーム３０７〜３０８を含むことができる。当該一部は後方部材３２５の底部、中央部、又は頂部とすることができる。第１及び第２のアーム３０７〜３０８は、後方部材３２５の一部の対向する端部から延びることができる。第１及び第２のアーム３０７〜３０８はそれぞれ、通信装置３０６の受け取りを助ける対応する第１及び第２の把持部材３０９〜３１０を含むことができる。第１及び第２の把持部材３０９〜３１０は、捕握装置、磁気装置、クリッピング装置、吸引装置、又は握り装置のうちの少なくとも１つを含むことができる。
【００４１】
側方ミラー３０３を取り付けるために、第１の細長い支持部材３１１を後方部材３２５の端部に取り付けて取り付け部材３１３を支持することができる。第１の細長い支持部材３１１を、後方部材３２５の一部上に垂直方向に配置することができる。特定の実施形態では、第１の細長い支持部材３１１を後方部材３２５の頂部角部に配置することができる。第１の細長い支持部材３１１は、後方部材３２５の前端部に搭載することもできるし、又は結合部材（図示せず）によって取り付けることもできる。結合部材は吸引装置、接着装置、及び／又は磁石とすることができる。第１の細長い支持部材３１１は、後方部材３２５の端部上の頂部、中央部、又は底部上に水平方向又は垂直方向に配置することができる。第１の細長い支持部材３１１は、取り付け部材３１３の第１の端部をそこに取り付ける部分を含むことができる。取り付け部材３１３の第２の対向する端部は、通信装置３０６を越えて外側に突き出る（product）ことができる。取り付け部材３１３の第２の対向する端部は、通信装置３０６の前方を越えて外側に突き出ることができる。取り付け部材３１３の第２の対向する端部は、側方ミラー３０３の背面に取り付けることができる。取り付け部材３１３の第２の対向する端部を、側方ミラー３０３に直接取り付けることもできるし、又は第２の細長い支持部材３２６によって取り付けることもできる。第２の細長い支持部材３２６は、吸引装置、接着装置、又は磁石のうちの少なくとも１つとすることができる。
【００４２】
更に側方ミラー３０３に関して、これは、通信装置３０６と前方ミラー３０２との両方に実質的に垂直に配置されるように適合させることができる。代替的な実施形態では、側方ミラー３０３はユーザーの眼に対して角度を付けることができる。特定の実施形態では、側方ミラー３０３は固定することもできるし又は調整可能とすることもできる。
【００４３】
後方ミラー３１４を取り付けるために、後方部分３２７は、コンピューティングデバイスの後方部材３２５からある角度で延びてもよい。後方部分３２７は、後方ミラー３１４と第２の光学センサ３２８との間の反射を可能にするように角度を付けることができる。後方部分３２７を、後方ミラー３１４と側方ミラー３０３及び第２の光学センサ３２８両方との間で同時に反射できるように角度を付けて、側方ミラー３０３及び後方ミラー３１４を介してコンタクトレンズユーザーと第２の光学センサ３２８との間で一連の反射ができるようにすることができる。
【００４４】
前方ミラー３０２の使用に関して、通信装置３０６の一部の上にそれを配置することによって、ユーザーがコンタクトレンズに対する自分達の眼の正面の眺めを見ることができる。側方ミラー３０３を用いることに関して、その配置によってユーザーはコンタクトレンズに対する眼の側面の眺めを見ることができる。代替的に、側方ミラー３０３の配置を、前方ミラー３０２及び／又はユーザーに反射するように位置合わせすることができる。
【００４５】
後方ミラー３１４に対する側方ミラー３０３の配置に関して、それぞれ又はそれらの任意の組み合わせを固定することもできるし又は調整可能とすることもできる。例えば、特定の実施形態では、側方ミラー３０３を、固定位置にある後方ミラー３１４に対して調整するように適合させることができる。代替的な実施形態では、側方ミラー３０３を固定位置にして、後方ミラー３１４に対して調整するように適合させることができる。更なる代替的な実施形態では、側方ミラー３０３及び後方ミラー３１４を互いに対して調整するように適合させることができる。
【００４６】
後方ミラー３１４の配置に関して、その配置を第２の光学センサ３２８に対して位置付けることができる。例えば、後方ミラー２１４を第２の光学センサ３２８からある距離離すこともできるし、第２の光学センサ３２８の前に直接置くこともできる。更に、後方ミラー３１４を、側方ミラー３０３に反射するように角度を付けることができる。
【００４７】
ユーザーに対する倍率に関して、前方ミラー３０２及び側方ミラー３０３は同じか又は異なる倍率をユーザーに示すことができる。例えば、前方ミラー３０２及び側方ミラー３０３は両方とも１ｘ倍率を有することができる。代替的に、例えば、前方ミラー３０２は１ｘの倍率を有し、側方は１０ｘの倍率を有することができる。
【００４８】
更に前方ミラー３０２及び側方ミラー３０３に関して、それぞれ、長い任意の好都合な形状にしてユーザーの眼よりも大きくなるようにすることができる。前方ミラー３０２及び側方ミラー３０３は任意の組み合わせ及び任意の形状（例えば、限定することなく、円形、正方形、矩形、三角形、台形、及び五角形）とすることができる。例えば、図３Ａの代表的な実施形態に示すように、前方ミラー３０２は、１２０ミリメートルｘ６０ミリメートルの寸法を有することによって矩形とすることができ、側方ミラー３０３は、６０ミリメートルｘ６０ミリメートルの寸法を有することによって正方形とすることができる。前方ミラー３０２及び側方ミラー３０３の寸法は、ミラーの倍率に基づくことができる。代替的に、前方ミラー３０２及び側方ミラー３０３の寸法を、ユーザーが眼に対して目的とする点に正確に狙いを定めるように決定することができる。後方ミラー３１４は、任意の好適な形状、サイズ、及び／又は倍率とすることができる。
【００４９】
代替的な実施形態によれば、例えば図３Ｃの代表的な実施形態を参照して、スタンド３１５は、少なくとも基部３１６、ホルダ３１７、及び複数の脚部３１８〜３１９（図３Ｄ）を含むことができる。ホルダ３１７及び複数の脚部３１８〜３１９は、基部３１６の頂部から上向きに突出することができる。通信装置３０６を、ホルダ３１７と複数の脚部３１８〜３１９との間に配置することができる。ホルダ３１７は通信装置３０６の前側を保持することができ、複数の脚部３１８〜３１９は通信装置３０６の後側を保持することができる。このような配置によって、スタンド３１５は通信装置３０６を受け取って実質的に直立に保持することができる。
【００５０】
複数の脚部３１８〜３１９は、少なくとも第１の脚部３１８及び第２の脚部３１９を含むことができる。第１の脚部３１８は、スタンド３１５の基部３１６に確実に固定された第１の脚部端部３２０を有することができる。第２の脚部３１９は、スタンド３１５の基部３１６に取り外し可能に取り付けられた第２の脚部端部３２１を有することができる。第２の脚部端部３２１は、基部３１６の頂部に配置された複数のスロット３２４から取り外し可能に取り付けることができる。スタンド３１５の第１及び第２の脚部３１８〜３１９を、第１及び第２の脚部端部３２０〜３２１と反対側の結合点３２２に回転可能に固定することができる。前方ミラー３０２の後方部材３２５を第１の脚部３１８の頂部３２３の上に配置して、通信装置３０６を実質的に直立に保持することができる。
【００５１】
別の実施形態によれば、システムによって、コンタクトレンズを装着することに関するフィードバック及びガイダンスを出力装置を通して可能にすることができる。例えば、図４及び５により明瞭に例示するように、第１の通信装置５０２におけるトレーナー５２７を第２の通信装置５０４におけるユーザー５０３に接続することができる。トレーナー５２７をユーザー５０３の第２の通信装置５０４の出力装置上に表示することができる。また、ユーザー５０３をトレーナー５２７の第１の通信装置５０２の出力装置上に表示することができる。そのため、トレーナー５２７は、ユーザー５０３がどのようにコンタクトレンズを装着すべきかについてガイダンスを与えることができる。トレーナー５２７は、ユーザーがコンタクトレンズを入力する前、入力する間、又は入力した後にガイダンスを与えることができる。
【００５２】
ユーザー５０３をトレーナー５２７に第１の通信装置５０２を通して表示することに関して、ユーザー５０３の眼の複数の眺めをトレーナー５２７に対して第２の通信装置５０４上に表示してもよい。例えば、トレーナー５２７は少なくともユーザー５０３の眼の正面の眺め及び側面の眺めを有していてもよい。図４に例示するように、トレーナー５２７は、仮想化装置５０１を用いたときにユーザー５０３と同じ眺めを有してもよい。別の実施形態では、トレーナー５２７は、第２の通信装置５０４の背面上の第２の光学センサ（図示せず）を通して眼の側面の眺めを有してもよい。第２の光学センサを通る眺めは、後方ミラー５０７から側方ミラー５０６上に反射してユーザーの眼の側面の眺めに至る。トレーナー５２７は、正面の眺めと側面の眺めとの間で動作可能に切り換えて、より良好なガイダンスをユーザー５０３に与えてもよい。
【００５３】
トレーナー５２７によって与えられるガイダンスに関して、これを視覚的合図、音響合図、及び教育ビデオのうちの少なくとも１つによって与えることができる。更に、トレーナー５２７が与えるガイダンスは、ライブとすることもできるし又は事前にロードすることもできる。例えば、ユーザー５０３は、どのようにコンタクトレンズを正しく装着するべきかのビデオを事前に記録して、後で再生することができる。代替的な実施形態では、トレーナーは、ユーザーがコンタクトレンズを装着する間に見るビデオを事前に記録することができる。更なる代替的な実施形態では、ビデオをインターネットから再生して、プレーヤにコンタクトレンズの装着の仕方を教えることができる。
【００５４】
トレーナーの眺めに関して、これは、仮想化装置に属する多くのミラーに関係することができる。例えば、図４に例示する実施形態では、仮想化装置５０１を用いて、図５のトレーナー５２７はユーザーと同じ眺めを有することができる。
【００５５】
別の実施形態によれば、システムは、ユーザーのコンタクトレンズの装着、装用、及び取り外し、並びに装着及び／又は取り外し時のユーザーの眼の外観に関する情報を記録及び記憶することができる。例えば、トレーナーではなくて、第１の通信装置５０２を順守モニタ又はデータ収集エンティティと関係付けてもよく、第２の通信装置はユーザーのコンタクトレンズの装着、装用、及び／又は取り外しに関する情報を記録して第１の通信装置に送信し、評価及び／又は収集及び記憶を図ってもよい。
【００５６】
次に図６を参照して、前述で例示した１つ以上の実施形態に従って代表的なシステム６００の略図を示す。システム６００は、１つ以上の通信装置、例えば、個人の通信装置６０１〜６０２及びトレーナー通信装置６０３、ネットワーク６０４、サーバ６０５、データベース６０７、及びソフトウェアモジュール６０６を含むことができる。種々の実施形態により任意の複数の装置を使用できることが予測される。例えば、複数の通信装置を、所定又は特定の数の通信装置とすることができる。コンタクトレンズユーザーシステムを、本発明の原理によるシステムを用いるコンタクトレンズユーザー６１０、６１２、及び／又は６１４とともに、図示するように遠隔に配置することができる。実施形態によれば、コンタクトレンズユーザー６１０、６１２、６１４に対する１つ以上の通信装置と、個人／トレーナー／順守モニタ通信装置６０１、６０２、及び６０３とを、データをネットワーク６０４に送り及び／又はネットワーク６０４を通して受け取ってコンタクトレンズユーザーのトレーニング又はモニタリングを支援するように構成することができる。例えば、トレーニング通信装置６０３におけるトレーナーは、データを任意の数の通信装置（例えば、コンタクトレンズユーザー６１０、６１２、及び６１４の通信装置）に送ることができる。逆に、通信装置６０３における順守モニタは、任意の数の通信装置６０１、６０２からデータ及び情報を受け取ることができる。
【００５７】
１つ以上の通信装置、例えば個人の通信装置６０１〜６０２及びトレーナー／順守モニタ通信装置６０３は、任意のタイプの通信装置とすることができる。例えば、携帯電話、ラップトップ、タブレット、又はデスクトップコンピュータ、ネットブック、ビデオゲーム装置、ポケットベル、スマートフォン、ウルトラモバイルパーソナルコンピュータ（ＵＭＰＣ）、携帯情報端末（ＰＤＡ）である。通信装置は、１つ以上のアプリケーション、とりわけ、インターネットブラウザ、音声通話、ビデオゲーム、ビデオ会議、及び電子メールなどを実行することができる。通信装置６０１〜６０３は、ネットワークに結合することができ、またネットワークとの間でデータを送り及び／又は受け取るように構成することができる。
【００５８】
ネットワーク６０４によって、それに結合された装置に対するネットワークアクセス、データ伝送、及び他のサービスが提供されて、任意の数のユーザー装置との間でデータを送り／受け取ることが可能になるのは、前述した通りである。全般的に、ネットワーク６０４は、一般に規定された任意のネットワークアーキテクチャを含んでおり実施することができる。これには標準化団体によって規定されるものが含まれ、例えばモバイル通信用グローバルシステム（ＧＳＭ）協会、インターネット技術タスクフォース（ＩＥＴＦ）、及びワールドワイドインターオペラビリティフォーマイクロウェーブアクセス（ワイマックス）フォーラムである。例えば、ネットワーク６０４は、ＧＳＭアーキテクチャ、汎用パケット無線サービス（ＧＰＲＳ）アーキテクチャ、ユニバーサル移動体通信システム（ＵＭＴＳ）アーキテクチャ、及びＵＭＴＳのエボリューション（ロングタームエボリューション（ＬＴＥ）と言われる）のうちの１つ以上を実施することができる。ネットワーク６０４は、この場合も、前述のうちの１つ以上の代わりに又はそれらとともに、ワイマックスフォーラムによって画定されるワイマックスアーキテクチャを実施することができる。ネットワーク６０４には例えば以下を含めることもできる。ローカルエリアネットワーク（ＬＡＮ）、ワイドエリアネットワーク（ＷＡＮ）、インターネット、仮想ＬＡＮ（ＶＬＡＮ）、企業ＬＡＮ、仮想プライベートネットワーク（ＶＰＮ）、企業ＩＰネットワーク、又はこれらの任意の組み合わせ。
【００５９】
サーバ６０５はまた、ネットワーク６０４に結合された任意のタイプの通信装置とすることができる。例えば、限定することなく、パーソナルコンピュータ、サーバコンピュータ、一連のサーバコンピュータ、ミニコンピュータ、及びメインフレームコンピュータ、又はこれらの組み合わせである。サーバ６０５は、ネットワークオペレーティングシステムを実行するウェブサーバ（又は一連のサーバ）とすることができる、ネットワークオペレーティングシステムの例としては、これらに限定されないが、マイクロソフトウィンドウズサーバ、ノベルネットウェア、又はリナックスを挙げることができる。サーバ６０５は、コンピューティングに対して使用でき、及び／又はクラウドコンピューティングを提供することができ、及び／又はコンピューティングをネットワーク化することができる。図６には示されていないが、サーバ６０５は外部システムへの接続（例えば、電子メール、ＳＭＳメッセージング、テキストメッセージング、コンテンツプロバイダなど）を有することができる。
【００６０】
データベース６０７は、任意のタイプのデータベース（例えば、データベース管理システム（ＤＢＭＳ）によって管理されるデータベース）とすることができる。ＤＢＭＳは典型的に、データベース中のデータの構成、記憶、管理、及び検索を制御するエンジンとして実施される。ＤＢＭＳによって、しばしば、問い合わせ、バックアップ及び複製、ルールの施行、セキュリティの実現、算出、変更及びアクセスロギングの実施、並びに最適化の自動化が可能になる。ＤＢＭＳの例としては以下が挙げられる。オラクルデータベース、ＩＢＭＤＢ２、アダプティブサーバーエンタープライズ、ファイルメーカー、マイクロソフトアクセス、マイクロソフトＳＱＬサーバ、マイＳＱＬ、ポストグレＳＱＬ、及びノーＳＱＬの実施態様である。ＤＢＭＳには典型的に、モデリング言語、データ構造、データベース問い合わせ言語、及びトランザクション機構が含まれている。モデリング言語を用いて、ＤＢＭＳにおける各データベースのスキーマを、データベースモデルにより画定する。データベースモデルとしては、階層モデル、ネットワークモデル、関係モデル、オブジェクトモデル、又は何らかの他の適用可能な既知の若しくは好都合な構成を挙げることができる。データ構造は、フィールド、レコード、ファイル、オブジェクト、及び任意の他の適用可能な既知の又は好都合な、データを記憶するための構造を含むことができる。ＤＢＭＳはまた、記憶されたデータについてのメタデータを含むことができる。
【００６１】
ソフトウェアモジュール６０６は、サーバ６０５において情報を送り、処理し、及び受け取るように構成されたモジュールとすることができる。ソフトウェアモジュール６０６によって、ウェブサーバ機能を通してリクエストを取り扱うことに加えて、サーバ６０５においてデータを送受信するための別のメカニズムを提供することができる。ソフトウェアモジュール６０６は、プロセス間又は装置間で情報を送受信するための任意の技術を用いて情報を送受信することができる。これには、限定することなく、以下を用いることが含まれる。スクリプト言語、遠隔手続き呼び出し、電子メール、ツイート、アプリケーションプログラミングインターフェース、シンプルオブジェクトアクセスプロトコル（ＳＯＡＰ）法、共通オブジェクトリクエストブローカーアーキテクチャ（ＣＯＲＢＡ）、ＨＴＴＰ（ハイパーテキスト転送プロトコル）、ＲＥＳＴ（レプレゼンテーショナルステートトランスファー）、ソフトウェア部品が互いに通信するための任意のインターフェース、ある装置から別の装置に情報を送るための他の任意の既知の技術を用いること、又はこれらの任意の組み合わせ。
【００６２】
ソフトウェアモジュール６０６をサーバ６０５に関連して説明することができるが、ソフトウェアモジュール６０６は任意の他の装置上に存在することができる。更に、ソフトウェアモジュール６０６の機能を、全体的又は部分的に、１つ以上の他の装置上で複製し、１つ以上の他の装置に渡って分配し、及び／又は１つ以上の他の装置によって行なうことができる。
【００６３】
次に図７を参照して、本発明により用いてもよい代表的な制御器７００の概略図を例示する。典型的な制御器７００は、プロセッサ７１０、通信装置７２０、及びデータ記憶装置又はメモリコンポーネント７３０を含んでいる。プロセッサ７１０は、通信装置７２０とデータ記憶装置７３０との両方と通信状態にある。通信装置７２０を、情報を通信チャネル（有線又は無線）を介して通信して、本明細書で説明した機能に関係するデジタルデータを電子的に送受信するように構成してもよい。また通信装置７２０を用いて、例えば、１つ以上のヒトが読める表示装置（例えば、ＬＣＤパネル、ＬＥＤディスプレイ、又は他の表示装置若しくはプリンタ）と通信してもよい。記憶装置７３０には、任意の適切な情報記憶装置が含まれていてもよい。例えば、磁気記憶装置（例えば、磁気テープ、無線周波数タグ、及びハードディスクドライブ）、光学記憶装置、コンピュータ可読媒体、及び／又は半導体メモリデバイス、例えばランダムアクセスメモリ（ＲＡＭ）装置及び読み出し専用メモリ（ＲＯＭ）装置の組み合わせである。記憶装置７３０は、プロセッサ７１０を制御するためのプログラム７４０を記憶してもよい。プロセッサ７１０は、プログラム７４０の命令を実行し、それによって、本発明に従って作動する。例えば、プロセッサ７１０は、コンタクトレンズユーザー、トレーナー、及び他の個人であってコンタクトレンズユーザーをサポートする者に関係する情報を受け取ってもよい。また記憶装置７３０は、プロセッサ７１０に送られた情報の全部又は一部を記憶して、１つ以上のデータベース７５０及び７６０に送ってもよい。
【００６４】
通信装置７２０は、オペレータが通信装置７２０に情報を入力することを可能にする任意のメカニズム又はメカニズムの組み合わせを含む入力装置を含んでいてもよい。例えば、キーボード、マウス、タッチ感応表示装置、マイクロフォン、ペンを使うポインティング装置、バイオメトリック入力装置、及び／又は音声認識装置である。通信装置７２０は、オペレータに情報を出力する任意のメカニズム又はメカニズムの組み合わせを含むことができる出力装置（例えば、ディスプレイ、プリンタ、スピーカなど）を含んでいてもよい。
【００６５】
実施形態によれば、本システム及び／又は装置を、コンタクトレンズを装着するようにユーザーをトレーニングする方法において用いることができる。例えば、本方法は、通信装置をスタンド上に搭載すること、仮想化された装置を通信装置の頂部上に取り付けること、及び第２の通信装置がユーザーにコンタクトレンズを装着するように指示を出すことを通したトレーナーを含むことができる。ユーザーは、仮想化された装置を用いて、自分の眼をコンタクトレンズに対して種々の角度で見ることができる。トレーナーは、ユーザーがコンタクトを自分の眼に装着する間にユーザーに指示を出すことができる。
【００６６】
実施形態の十分な理解が得られるように、多数の具体的な詳細について説明してきた。しかし当然のことながら、実施形態はこれらの具体的な詳細を伴わずに実施することができる。他の場合では、周知の作用、構成部品、及び回路については、実施形態を不明瞭にしないように詳細には説明していない。具体的な構造上及び機能上の詳細は代表的なものであり、必ずしも実施形態の範囲を限定するわけではないことを理解することができる。
【００６７】
「一実施形態」又は「実施形態」に対するどんな言及も、その実施形態と関連して説明される特定の特徴、構造、又は特性が少なくとも１つの実施形態に含まれることを意味することは、留意するに足る。本明細書において語句「一実施形態では」が現れていることは、必ずしもすべてが同じ実施形態を参照するわけではない。
【００６８】
説明した実施形態は代表的な実施態様を例示しており、機能要素及び／又はモジュールは、説明した実施形態と整合する他の種々の方法で実施できるということも理解すべきである。更に、このような構成部品又はモジュールによって行なわれる作用は、与えられた実施態様に対して組み合わせて及び／又は分離することができるとともに、より大きな数又はより少ない数の構成部品又はモジュールによって行なうことができる。
【００６９】
種々の代表的な実施形態について前述で説明してきたが、当然のことながら単に一例として示しており、限定ではない。したがって、本開示の広さ及び範囲は、前述した代表的な実施形態のいずれかによって限定してはならない。
【００７０】
前述の説明は本発明の好ましい実施形態を対象にしているが、他の変形及び変更が当業者には明らかであり、本発明の趣旨又は範囲から逸脱することなく施せることに注意されたい。また、本発明の一実施形態に関連して説明した特徴を、たとえ明確に前述していなくても、他の実施形態とともに用いることができる。
【００７１】
〔実施の態様〕
（１）  ユーザーのコンタクトレンズの使用を支援するための仮想化装置であって、
内部に開口部を有する前方ミラーと、
前記前方ミラーに結合された支持部材と、を含み、
前記前方ミラーは前記支持部材を介して通信装置に取り付けることが可能であり、
前記前方ミラーの前記開口部は前記通信装置の光学センサと位置合わせされるように適合されている、仮想化装置。
（２）  前記支持部材に結合されており、前記通信装置を越えて、かつ前記通信装置と並んで位置付けることに適合された、側方ミラーを更に含む、実施態様１に記載の仮想化装置。
（３）  前記側方ミラーは支持アームを介して前記支持部材に結合されている、実施態様２に記載の仮想化装置。
（４）  前記支持アーム及び前記側方ミラーの少なくとも一方が調整可能である、実施態様３に記載の仮想化装置。
（５）  前記通信装置に結合されるように適合された側方ミラーを更に含む、実施態様１に記載の仮想化装置。
【００７２】
（６）  前記通信装置上の第２の光学センサに隣接して前記通信装置に結合されるように適合された後方ミラーを更に含み、前記後方ミラーは、前記後方ミラーと前記第２の光学センサとの間の第１の反射経路と、前記後方ミラーと前記側方ミラーとの間の第２の反射経路と、を有するように適合されている、実施態様５に記載の仮想化装置。
（７）  前記支持部材は外側に延在して、前記後方ミラーを支持するように適合された部分を有し、前記後方ミラーは前記支持部材の前記部分に取り付けられている、実施態様６に記載の仮想化装置。
（８）  前記支持部材に結合された側方ミラー及び後方ミラーを更に含み、前記側方ミラー及び前記後方ミラーが互いに反射するように角度が付けられている、実施態様１に記載の仮想化装置。
（９）  後方光学センサを更に含み、前記側方ミラー及び前記後方ミラーは、前記後方光学センサと対象物との間で反射により通信するように角度が付けられるように適合されている、実施態様８に記載の仮想化装置。
（１０）  前記通信装置と前記前方及び側方ミラーとを、対象物に反射する位置に支持するように適合された支持スタンドを更に含み、前記前方ミラーは前記対象物の正面の眺めを反射するように適合され、前記側方ミラーは前記対象物の側面の眺めを反射するように適合され、
前記対象物には使用中のコンタクトレンズと前記コンタクトレンズの使用をサポートする装着装置とが含まれる、実施態様５に記載の仮想化装置。
【００７３】
（１１）  コンタクトレンズの使用には前記コンタクトレンズの装着及び取り外しが含まれる、実施態様１０に記載の仮想化装置。
（１２）  ユーザーのコンタクトレンズの使用を支援するためのシステムであって、
内部に開口部を有する前方ミラーと前記前方ミラーの背面から外側に延在する後方部材とを含む仮想化装置と、
少なくとも出力装置、プロセッサ、及び光学センサを含む通信装置と、
前記通信装置を受け取って実質的に直立して保持するように構成されたスタンドと、を含み、
前記前方ミラーの前記開口部は、前記通信装置の前記光学センサと位置合わせされるように適合され、前記後方部材を介して前記通信装置に結合されるように適合され、
前記通信装置の前記プロセッサは、前記通信装置の前記出力装置を通して、前記ユーザーに前記コンタクトレンズの使用法について指示を出すように構成されている、システム。
（１３）  前記プロセッサは、遠隔に配置された通信装置と通信するように構成され、前記プロセッサは、少なくとも前記遠隔の通信装置からの入力に基づいて、前記ユーザーに前記コンタクトレンズの使用法について指示を出すように構成されている、実施態様１２に記載のシステム。
（１４）  前記後方部材から延在する取り付け部材と、前記取り付け部材の第１の部分に取り付けられた第１の端部と側方ミラーに取り付けられた第２の端部とを有する細長い部材と、を更に含み、前記細長い部材の前記第２の端部は前記通信装置を越えて外側に突出する、実施態様１２に記載のシステム。
（１５）  前記取り付け部材の第２の部分に取り付けられた後方ミラーを更に含む、実施態様１４に記載のシステム。
【００７４】
（１６）  前記側方ミラー及び前記後方ミラーは互いに反射するように適合されている、実施態様１５に記載のシステム。
（１７）  前記後方部材の外側に固定された細長い取り付け部材と、第１の端部及び対向する第２の端部を有し、前記第１の端部が前記細長い部材の前記底部に固定されている取り付け部材と、前記取り付け部材の前記第２の端部に取り付けられ、前記通信装置を越えて延在する側方ミラーと、を更に含む、実施態様１２に記載のシステム。
（１８）  前記後方部材は少なくとも第１のアーム及び対向する第２のアームを含み、前記第１のアーム及び前記対向する第２のアームは前記後方部材の底部から延在し、それぞれ前記通信装置の対応する前側及び第２の側にクリップで留まっている、実施態様１２に記載のシステム。
（１９）  前記通信装置の前記プロセッサは、視覚的合図、音響合図、及び教育ビデオの少なくとも１つを通して指示を出すように構成されている、実施態様１２に記載のシステム。
（２０）  前記通信装置に指示を送信する第２の通信装置を更に含む、実施態様１２に記載のシステム。
【００７５】
（２１）  コンタクトレンズ装用者のコンタクトレンズの使用を支援するためのシステムであって、
出力装置、プロセッサ、及び光学センサを含むユーザー通信装置と、
前記ユーザー通信装置に結合された仮想化装置であって、開口部を含む前方ミラーを含み、前記前方ミラーは前記ユーザー通信装置に結合されて前記前方ミラー開口部は前記光学センサとの位置合わせに適合され、それによって、前記前方ミラー及び前記光学センサは前記コンタクトレンズユーザーの方向に向けられ、前記前方ミラー上の画像は前記光学センサによって検知されたものと実質的に同じ画像である、仮想化装置と、を含み、
前記プロセッサは遠隔の通信装置と通信するように構成され、前記プロセッサは前記遠隔の通信装置に前記画像を通信するように構成され、前記遠隔の通信装置からコンタクトレンズの使用に関する指示を受け取るように構成されている、システム。
（２２）  第２のセンサを有する前記ユーザー通信装置に結合されるように適合された側方ミラーを更に含み、前記側方ミラーは前記第２のセンサと反射により通信するように適合されている、実施態様２１に記載のシステム。
（２３）  前記プロセッサは前記第２のセンサから前記遠隔の通信装置に情報を通信するように構成されている、実施態様２２に記載のシステム。
（２４）  前記側方ミラー及び前記第２のセンサと反射による通信をするように適合されたバックミラーを更に含む、実施態様２２に記載のシステム。
（２５）  前記出力装置は表示装置であり、前記画像は前記表示装置上に表示される、実施態様２１に記載のシステム。
【００７６】
（２６）  前記画像はビデオ画像である、実施態様２１に記載のシステム。
（２７）  前記プロセッサは前記遠隔の通信装置に前記画像を送信するように構成されている、実施態様２１に記載のシステム。
（２８）  ユーザーのコンタクトレンズの使用をモニタするためのシステムであって、
内部に開口部を有する前方ミラーと前記前方ミラーの背面から外側に延在する後方部材とを含む仮想化装置と、
少なくとも出力装置、プロセッサ、及び光学センサを含む通信装置と、
前記通信装置を受け取って実質的に直立して保持するように構成されたスタンドと、を含み、
前記前方ミラーの前記開口部は、前記通信装置の前記光学センサと位置合わせされるように適合され、前記後方部材を介して前記通信装置に結合されるように適合され、
前記通信装置の前記プロセッサは、前記ユーザーのコンタクトレンズの使用についての情報を記録して前記通信装置の前記出力装置を通して送信するように構成されている、システム。
（２９）  前記プロセッサは、遠隔に配置された通信装置と通信するように構成されている、実施態様２８に記載のシステム。
【図１】
0006625629.tif 000002
【図２Ａ】
0006625629.tif 000003
【図２Ｂ】
0006625629.tif 000004
【図２Ｃ】
0006625629.tif 000005
【図２Ｄ】
0006625629.tif 000006
【図３Ａ】
0006625629.tif 000007
【図３Ｂ】
0006625629.tif 000008
【図３Ｃ】
0006625629.tif 000009
【図３Ｄ】
0006625629.tif 000010
【図４】
0006625629.tif 000011
【図５】
0006625629.tif 000012
【図６】
0006625629.tif 000013
【図７】
0006625629.tif 000014